(57)【要約】【課題】積荷をその重量及びサイズに関わらずに扱うことができる構造を提供する。【解決手段】本発明に係る構造（１）は、船（３）上の車両（１００）用のカーゴデッキ（２）のための構造であって、垂直方向に個別に移動した位置及び垂直方向に一緒に移動した位置のそれぞれにおいて、固定装置によって各々解除可能に固定されるように構成された複数の昇降可能なデッキ部（４，５）を備えている。一対又は複数の昇降可能なデッキ部（４，５）は、１つのデッキ部（４）がその下側のデッキ部（５）上で、密接に重なった状態で一体にされるように構成されている。この密接に重なった状態で一体にされデッキ部（４，５）が相互に作用することにより、このようにして形成された共通デッキユニット（７）の強度を高め、たわみを減少させ得る。【選択図】図３
2006528924.tif 000002
【特許請求の範囲】
【請求項１】
船（３）上の車両（１００）用のカーゴデッキ（２）のための構造（１）であって、
垂直方向に個別に移動した位置及び垂直方向に一緒に移動した位置のそれぞれにおいて、固定装置によって各々解除可能に固定されるように構成された複数の昇降可能なデッキ部（４，５）を備えており、
一対又は複数の昇降可能なデッキ部（４，５）は、１つのデッキ部（４）がその下側のデッキ部（５）上で密接に重なった状態で一体にされるように構成されており、
前記密接に重なった状態で一体にされたデッキ部（４，５）が相互に作用することにより、このようにして形成された共通デッキユニット（７）の強度を高め、たわみを減少させ得ることを特徴とする構造。
【請求項２】
請求項１に記載の構造であって、
一体にされた相互作用するデッキ部（４，５）は、水平方向から見て同時に相互距離で互いに接触することを特徴とする構造。
【請求項３】
請求項２に記載の構造であって、
上側のデッキ部（４）は、下側のデッキ部（５）上で、その梁の全長の半分で支持されることを特徴とする構造。
【請求項４】
請求項１に記載の構造であって、
上側のデッキ部（４）は、下側のデッキ部（５）上で、その梁の全長に沿って密接に支持されることを特徴とする構造。
【請求項５】
請求項１乃至４のいずれかに記載の構造であって、
密接に重なった状態で一体にされたデッキ部（４，５）は、例えば、溶接、リベット打ち、接着、ボルト留め、又はボルト以外の取り外し可能な固定留めによって、互いに恒久的に結合できるように、又は固定を解除可能に構成されたことを特徴とする構造。
【請求項６】
請求項１乃至５のいずれかに記載の構造であって、
前記デッキ部（４，５）はその上面（８，９）を露出させ、前記相互作用するデッキ部（４，５）の積み重ねの上側に位置するデッキ部（４）は、下側のデッキ部（５）の平面（９）よりも厚い平面（８）を露出させることを特徴とする構造。
【請求項７】
請求項１乃至６のいずれかに記載の構造であって、
前記デッキ部（４，５）は、平面（８，９）で接続されている梁によって形成されることを特徴とする構造。
【請求項８】
請求項１乃至請求項７のいずれかに記載の構造であって、
少なくとも平面（８，９）は、アルミニウムから構成されることを特徴とする構造。
【請求項９】
請求項１乃至請求項８のいずれかに記載の構造であって、
前記デッキ部（４，５）は、ケーブル（１１）及び／又は複数のジャッキによって一体にすることが可能であり、
遠隔操作される固定装置（６）によって側方（Ｈ）に変位可能な停止した状態で垂直方向（Ｖ）に固定可能であることを特徴とする構造。
【請求項１０】
請求項９に記載の構造であって、
前記固定装置（６）は回動可能に取り付けられたストップヒール（６）によって形成され、前記ストップヒール（６）は、該ストップヒール（６）から離れた位置にある目的とする動作基点１５に向かって延びるケーブル１１に接続されることを特徴とする構造。
【発明の詳細な説明】
【技術分野】
【０００１】
本発明は、船の車両用のカーゴデッキであり、垂直方向に個別に移動した位置及び垂直方向に一緒に移動した位置のそれぞれにおいて、固定装置によって各々解除可能に固定されるように構成された複数の昇降可能なデッキ部を備えた構造に関するものである。
【背景技術】
【０００２】
車両をいわゆるローロー船に積載するときは、積荷の高さが非常に高く、その上に他のスペースが無い場合や、積荷の重さが非常に重く、固定デッキ以外ではその重量に耐えることができない場合は、車両及び他の積荷を下部の固定されたデッキに、上のデッキに邪魔にならないように積み込むのに、昇降可能なデッキが使用される。高さが低いにもかかわらず重量の重い車両が多い場合は、上側の昇降可能デッキを効果的に使用することは難しい。
【発明の開示】
【発明が解決しようとする課題】
【０００３】
したがって、本発明の主要な目的は、特に前述した問題を解決し、昇降可能な車両デッキ上を含めて、船内の積荷をその重量及びサイズに関わらずに扱うことができる構造を提供することにある。また、本発明は、様々な種類（例えば、そのサイズと重量に関して）の貨物に適応することが可能である。
【課題を解決するための手段】
【０００４】
前記課題を解決すべく、本発明に係る構造は、一対の又は多数の昇降可能なデッキ部を備えており、基本的に、１つのデッキ部がその下側のデッキ部上で密接に重なった状態で一体にされるように構成されており、密接に重なった状態で一体にされたデッキ部が相互に作用することにより、このようにして形成された共通デッキユニッの強度を高め、たわみを減少させ得る。
【発明を実施するための最良の形態】
【０００５】
本発明に係る構造１は、船３のカーゴデッキ２のための構造であって、垂直方向に個別に移動した位置ＩＩ及び垂直方向に一緒に移動した位置Ｉのそれぞれにおいて、固定装置６によって各々解除可能に固定されるように構成された複数の昇降可能なデッキ部４，５を備えており、一対のデッキ部４，５は、密接に重なった状態で一体にされる積載位置Ｉにおいて、貨物を収容するように構成されている。具体的に説明すると、前述した昇降可能なデッキ部４，５は、下側のデッキ部５によって直接的に支持されているデッキ部４に貨物を収容するように構成されている。このようにして、前述した密接に重なった状態で一体にされるデッキ部４，５は、貨物を収容する共通ユニットとして相互作用することができ、その際にこのように構成された共通デッキユニット７の強度を高め、たわみを減少させることが可能である。前述した二重のデッキユニット７は、車両１００及び／又は他の貨物の駐車を容易にするために、下側の固定された車両カーゴデッキ２から距離Ａの所に位置している。
【０００６】
図１の矢印は、船の異なるランプ及びデッキであり、船の中央部の破線は、昇降可能な車両デッキがどのように配置されるかを示している。
【０００７】
少なくとも２つの部分から成り、一体にされ相互作用するデッキ部４，５は、所望の集合位置Ｉにおいて互いに接触している。水平方向Ｈから見て同時に相互距離で他方のデッキ部上側にあるデッキ部は、例えば、下側のデッキ部５上でその梁の全長の中間で支持された、又は下側のデッキ部５上でその梁の全長に沿って密接に支持された上側のデッキ部４と連結する。
【０００８】
密接して一体にされたデッキ部４，５は、例えば、溶接、リベット打ち、接着、ボルト留め、又はボルト以外の取り外し可能な固定留めによって、互いに恒久的に結合できるように、或いは取り外し可能に構成されている。なお、前述した結合は、図面では図示していない。
【０００９】
ケーブル（図示せず）及び／又は複数のジャッキによって昇降させることが可能であり、遠隔操作される固定装置によって側方変位可能な停止した状態で垂直方向Ｖに固定可能な、前述した各昇降可能デッキ部４，５は、その上面８，９を露出させるように配置することもできる。この場合、前述した、相互作用するデッキ部４，５の積み重ねの上側に位置するデッキ部４は、１つ又は複数の下側のデッキ部によって露出されるよりも、厚い板を露出させることが好ましい。この場合、前述したデッキ部は、平面で接続されている梁によって形成することができる。なお、少なくとも平面は、アルミニウムから構成することができる。また、上側のデッキ部の平面を支持する第２の梁のサイズを、他の下側のデッキ部の第２の梁に関して増加させることができる。
【００１０】
固定装置６は、関節１０に回動可能に取り付けられるストップヒールによって形成することが好ましい。ヒールは、前述したストップヒール６上のアタッチメント１２及びその周囲のガイド１３、１４から、前述したストップヒール６から離れた位置にある目的とする動作基点１５へ延びるケーブル１１に接続される。ケーブルは、取り付け装置１６によって、目的とするカーゴスペース１８の側部及びカーゴデッキ部の動作経路上のアタッチメント１７に接続される。
【００１１】
２つ以上の車両デッキ部４，５の相互作用によって、このように、車両デッキ２の強度を高め、たわみを減少させることが可能である。つまり、車両デッキ部４，５が互いに影響しあうことにより、車両デッキ部の支持能力を高めることができる。この相互作用は、上側及び下側の構造梁に沿った複数のポイントで互いに密接に接触させることにより実現される。上側のデッキ部４に荷積みする場合は、下側のデッキ部５は車両デッキエリア全体に沿って支持することもできる。
【００１２】
相互作用の程度は、デッキ部４，５が互いに接触する強さ、及び、デッキ部４，５の相対剛性によって決定される。デッキ部４が基本的に分布荷重にさらされ、下側のデッキ部５は梁の全長の半分だけを支持し、そして、デッキ部４，５は同様の相対剛性を有すると仮定する。すると、全モーメントの２５％は、デッキ部４によって吸収され、残りの７５％はデッキ部５によって吸収される。構造梁が全長に渡って互いに密接しており、両デッキ部４，５の構造梁の長さが等しければ、２倍の支持能力が得られるであろう。接触点を多くすれば、一般に、支持の移動は大きくなる。
【００１３】
溶接、リベット打ち、接着、ボルト留め、又はボルト以外の取り外し可能な固定留めによって、構造梁に沿って互いに取り付けられる場合は、前述したように、２つ又はそれ以上の車両デッキ部の総合的な相互作用が得られる。この場合、構造は、サンドイッチ構造に見られるようなユニットを形成する。この結果は、抵抗モーメント及び慣性モーメントの断面値の変化を念頭に置いて作成された新しい構造梁のためのものである。そのような構造物の総合的な支持能力は、前述した取り外し可能な相互作用に関係してさらに高められる。そのような構造物をアルミニウムによって作成すると、車両デッキの全重量は著しく減少する。
【００１４】
以上、本発明の実施の形態について説明したが、本発明は前記した実施の形態のみに限定されるものではなく、本発明の技術的思想に基づく限りにおいて、種々の変形が可能である。
【図面の簡単な説明】
【００１５】
【図１】船の完全に内部にあるカーゴスペースの車両を積み込む及び荷下ろしする設備を有する従来の船の切断図である。
【図２】本発明に係る昇降可能なカーゴを備えた船の概略断面図である。
【図３】貨物を受け取ることことができる位置のために、一体にされた昇降可能なデッキ部を有するカーゴデッキの一部を示す図である。
【図４】前記構造に含まれる前記した昇降可能なデッキ部の固定手段を示す図である。
2006528924.tif 000003
【図２】
2006528924.tif 000004
【図３】
2006528924.tif 000005
【図４】
2006528924.tif 000006
【国際調査報告】
2006528924.tif 000007
2006528924.tif 000008